(57)【要約】【課題】検出の安定化とともに取扱いの容易化を図り、再利用を可能とした盗難防止装置を提供することを目的とする。【解決手段】この盗難防止装置は、物品への取り付け手段を有する絶縁基材上に第１の導体パターンと、該第１の導体パターンの一部に配置された導電片と、該導電片の周囲に配置された第２の導体パターンを備え、取り外しにより導電片と第２の導体パターンとの接触により異なる状態を呈するタグと、このタグの前記導電片と第２の導体パターンとの接触による状態の変化を監視し、前記状態の変化に応じた制御出力を発生する制御手段と、この制御手段が発生した制御出力により警報を発する警報手段とを備えている。【選択図】　　　　図１
2004118660.tif 000002
【特許請求の範囲】
【請求項１】
物品への取り付け手段を有する絶縁基材上に第１の導体パターンと、該第１の導体パターンの一部に配置された導電片と、該導電片の周囲に配置された第２の導体パターンを備え、取り外しにより導電片と第２の導体パターンとの接触により異なる状態を呈するタグと、このタグの前記導電片と第２の導体パターンとの接触による状態の変化を監視し、前記状態の変化に応じた制御出力を発生する制御手段と、この制御手段が発生した制御出力により警報を発する警報手段と、を備えたことを特徴とする盗難防止装置。
【請求項２】
前記第１の導体パターン及び第２の導体パターンが抵抗器を介して接続されていることを特徴とする請求項１記載の盗難防止装置。
【請求項３】
前記導電片は鍔形状を有していることを特徴とする請求項１記載の盗難防止装置。
【請求項４】
前記導電片は少なくともタグの一方の端部に配置されていることを特徴とする請求項１記載の盗難防止装置。
【発明の詳細な説明】
【０００１】
【発明の属する技術分野】
本発明は、盗難防止の対象である物品に取外し可能に取り付けられたタグの取外しによる異なる状態を検知し、その状態変化により警報を発する盗難防止装置に関する。
【０００２】
【従来の技術】
従来、物品にタグが取外し可能に取り付けられ、タグの取外しによる異なる状態を電気的に検知し、その状態変化により警報を発する盗難防止装置が知られている。例えば、特許第２７９９１３６号「盗難防止装置」では、物品に取外し可能に取り付けられて取外しに際して異なる状態を取り得るタグ、警報を発する警報手段、タグに接続されて異なる状態を検知し、その状態変化に応じて警報手段を制御する制御手段が備えられ、タグは、接着層と、接着層上に形成される導電層と、導電層上に形成される基材とを有し、物品にタグの接着層面を張り付け、制御手段により導電層の抵抗値を検出して異なる状態になったときに警報手段を駆動させ得るものである。
【０００３】
【特許文献１】
特許第２７９９１３６号公報
【０００４】
【発明が解決しようとする課題】
ところで、この盗難防止装置において、タグは物品に取り付けられる際に折り曲げられることが予想され、この折曲げで製造時の導電層の抵抗値が変化する場合がある。タグの抵抗値が変化すると、抵抗値変化に対応した電圧降下を想定した電圧調整が必要となる等、制御がしづらくなる。また、各タグ毎に抵抗値が異なると、共通の制御手段で制御する場合には、異常時か否かの判別に誤差を生じる等の不都合がある。また、物品への取付け時には、折曲げ等を生じないように、取扱いに注意を要するものであった。
【０００５】
また、この盗難防止装置においては、タグを物品から取り外す際にはタグの導電層の一部が物品に残り、導電層の一部が欠落することで、導電層の端部間の抵抗値が増加し、この変化を検知して、警報手段を駆動させているため、このタグは一度使用してしまうとこの導電層の一部欠落により、再利用がしづらくなってしまう問題がある。
【０００６】
そこで、本発明は、検出の安定化とともに取り扱いの容易化を図り、再利用を可能とした盗難防止装置を提供することを目的とする。
【０００７】
【課題を解決するための手段】
上記目的を達成するために、本発明の盗難防止装置は、物品への取り付け手段を有する絶縁基材上に第１の導体パターンと、該第１の導体パターンの一部に配置された導電片と、該導電片の周囲に配置された第２の導体パターンを備え、取り外しにより導電片と第２の導体パターンとの接触により異なる状態を呈するタグと、このタグの前記導電片と第２の導体パターンとの接触による状態の変化を監視し、前記状態の変化に応じた制御出力を発生する制御手段と、この制御手段が発生した制御出力により警報を発する警報手段と、を備えたことを特徴としている。
【０００８】
また、前記第１の導体パターン及び第２の導体パターンが抵抗器を介して接続されていることを特徴としている。
【０００９】
また、前記導電片は鍔形状を有していることを特徴としている。
【００１０】
また、前記導電片は少なくともタグの一方の端部に配置されていることを特徴としている。
【００１１】
この盗難防止装置では、タグ上の第１の導体パターンおよび第２の導体パターンは通常時には接触しておらず、タグを剥がす際に第１の導体パターンに配置された導電片に接触することで導通する構成であり、従って、タグの第１の導体パターンに電圧を印加し、この第１の導体パターンの電圧を制御手段で検知し、第２の導体パターンと導通することにより、電圧が変化し、この変化を監視している。従って、タグが取り外される際には、第２の導電パターンは導電片に接触するのみでタグの状態の変化を容易に検知することができ、またタグ上の導電パターンが欠落や破損することがなく、再利用可能となり、コスト面から、環境面から有効である。
【００１２】
また、第１の導体パターン及び第２の導体パターンを抵抗器を介して接続することで、正常時には、抵抗器の抵抗値Ｒによる状態、異常時には、即ち、導体パターンやケーブルが切断されたとき、抵抗値が無限大の状態、第１の導体パターンと第２の導体パターンが接触されたときやケーブルが短絡されたとき、抵抗値が零の状態となる。これらの各状態は、制御手段で電気的に容易に検出される。従って、この盗難防止装置では、タグを剥がす、ケーブルを切断又は短絡する等の異常時以外に抵抗値、電圧値の変化はなく、誤動作の発生はない。
【００１３】
また、前記導電片は鍔形状を有しているため、タグの取り外しの際に第２の導体パターンは前記導電片と接触し易くなり、タグの状態の変化を容易に検出することができる。
【００１４】
また、前記導電片は少なくともタグの一方の端部に配置されることで、第２の導体パターンと導電片との接触性が高められ、検出精度を向上させることができる。
【００１５】
【発明の実施の形態】
図１は、本発明の実施の形態に係る盗難防止装置を示している。この盗難防止装置は、シート状のタグ１、コネクタケース２、制御手段であるとともに警報手段である装置本体３を備えている。
【００１６】
タグ１は盗難を防止すべき物品２０に取外し可能に取り付けられるとともに、装着部３によりコネクタケース２に装着される。このタグ１には、物品２０からの取外しによって異なる状態を呈する取外し検知手段として、印刷等で形成された第１の導体パターン４と、該第１の導体パターン４の一部に配置された導電片６と、該導電片６の周囲に配置された印刷等で形成された第２の導体パターン５を備えている。前記装着部３には、装着されるコネクタケース２との離脱を阻止する拘止突部が形成されている。
【００１７】
このタグ１は、例えば、図２に示すように、絶縁材料からなる可撓性を持つ絶縁基材として絶縁フィルム８が用いられ、この絶縁フィルム８の一方の面には粘着層１１が形成されて物品２０に取り付け可能としている。そして、他方の表面には、第１の導体パターン４、該第１の導体パターン４の一部に配置された導電片６と、該導電片６の周囲に配置され印刷等で形成された第２の導体パターン５が形成され、それらの表面を覆うように絶縁材料からなる被覆部材９が配置されている。そして、この導電片６は金属材料や、樹脂などの部材の表面に導電体を被覆したものなどからなり、図３に示すように、接触されやすように、導電片６は導体パターンの設置面から上方に向かって漸次幅広になるようにテーパ面を設けたり（ａ）、幅広になるように段部を形成する（ｂ）など、鍔形状とすることが好ましい。そしてこの導電片６はタグ１の端部側に配置することで、タグ１を物品２０から取りはずされる際には確実に導電片６と第２と導体パターンが接触するため、安定してタグ１の以上を検出することができる。なお、図５に導電片６に第２の導体パターン５が接触する状態を示す。
【００１８】
また、コネクタケース２はタグ１と装置本体３との間に設置される。例えば、合成樹脂製の筐体であって、その内部にはワイヤーとして例えば、導体を持つケーブル１３が装置本体３との接続手段であるホーンプラグ１４に接続される。また、第１の導体パターン４と第２の導体パターン５の間には抵抗器７が接続されているが、図１に示すように、この抵抗器７はタグ１上であってもよく、またコネクタケース２内に配置されてもよい。なお、この抵抗器７は第１の導体パターン４と第２の導体パターン５を接続しているが、各導体パターン４、５の先端付近にて接続を行うと、導体パターンを切断した際のタグ１の状態の変化を検出する検出範囲は広がるため好ましい。
【００１９】
そして、装置本体３にはタグ１側に発生する状態変化を検出し、警報信号を発生する制御装置１７が設置され、この制御装置１７には例えば、マイクロコンピュータが用いられ、初期状態を記憶する記憶手段１９が設置されているとともに、警報信号によって動作する警報手段として警報ブザーや警報ランプからなる警報器１８が接続されている。
【００２０】
また、この装置本体３には一定の電圧Ｖを発生する電源装置１５とともに抵抗器１６が設置されており、前述の抵抗器７とこの抵抗器１６の直列回路には、電源装置１５から一定の電圧Ｖが加えられている。抵抗器７と抵抗器１６との分圧点ｎに発生する電圧Ｖｎが制御装置１７のＡ／Ｄコンバータ入力部に加えられ、ディジタル値に変換される。
【００２１】
このような構成において、動作を説明すると、正常時には、図４（ａ）の状態となる。電源装置１５から印加される電圧をＶ、抵抗器７、１６の抵抗値をＲとし、ケーブル３０及び各導体パターン４、５の各抵抗値ｒをｒ＜＜Ｒとし、抵抗値Ｒに対して無視できる程度とすれば、分圧点ｎを通して制御装置１７に加えられる検出電圧Ｖｎは、
Ｖｎ＝Ｖ×（Ｒ／２Ｒ）＝Ｖ／２　　　　　　　・・・（１）
となる。例えば、Ｒ＝２．２〔ｋΩ〕、Ｖ＝３．３〔ボルト〕とすると、Ｖｎ＝１．６５〔ボルト〕となる。
【００２２】
そこで、初期設定では、装置本体３にコネクタケース２を介してタグ１が接続された時点で、分圧点ｎに発生する検出電圧Ｖｎを取り込み、初期状態の電圧値をディジタル値に変換してタグ１毎に記憶手段１９に記憶する。そして、正常時の基準電圧範囲として初期値Ｖｒに正常と見做し得る許容電圧変動幅±ΔＶ（例えば、±０．４〔ボルト〕以内）を加えた電圧範囲（Ｖｒ±ΔＶ）が設定される。この電圧範囲（Ｖｒ±ΔＶ）はディジタル値で記憶手段１９に記憶される。そして、検出電圧Ｖｎがこの電圧範囲（Ｖｒ±ΔＶ）を逸脱したとき、異常と判定し、警報信号を発する。この場合、電圧範囲（Ｖｒ±ΔＶ）は、複数のタグ１を使用する場合、各タグ１毎に個別に定まる値である。
【００２３】
そして、異常時、ケーブル３０が切断されると、例えば、図４（ｂ）のように、抵抗器７が離脱することになる。このとき、分圧点ｎと接地点（ＧＮＤ）との間の抵抗値Ｒ＝無限大となり、分圧点ｎを通して制御装置１７に加えられる検出電圧Ｖｎは電源装置１５の電圧Ｖとなる。即ち、Ｖｎ＝Ｖであり、Ｖ＝３．３〔ボルト〕の場合には、Ｖｎ＝３．３〔ボルト〕となる。
【００２４】
また、異常時、タグ１の取外しや外部からの操作等により、導電片６を介して第１の導体パターン４と第２の導体パターン５が接続されたり、ケーブル１３が短絡されると、例えば、図４（ｃ）のように、抵抗器７を介在するものの、分圧点ｎと接地点（ＧＮＤ）との間の抵抗値Ｒ＝零となり、分圧点ｎを通して制御装置１７に加えられる検出電圧Ｖｎは零となる。即ち、Ｖｎ＝０である。
【００２５】
このように、正常時にはＶｎ＝Ｖ／２〔ボルト〕、異常時には、Ｖｎ＝Ｖ〔ボルト〕か、Ｖｎ＝０〔ボルト〕となるので、各導体パターン４、５間の抵抗器７の抵抗値Ｒを監視し、状態変化を表す分圧点ｎの検出電圧Ｖｎの値により、制御装置１７で正常か異常かを判別することができる。また、これら以外に、検出電圧Ｖｎが初期値Ｖｒと許容電圧変動幅±ΔＶとの加算値である電圧範囲（Ｖｒ±ΔＶ）を逸脱して変動した場合にも異常状態として検出される。
【００２６】
そして、これら異常時には、制御装置１７から警報信号が発せられ、警報器１８は警報信号を受けて警報を発し、異常事態を告知することができる。
【００２７】
なお、図６に示すように、導電片６を配置する部分の第１の導体パターン４において、予め断線しておき、前記導電片６を配置することで（点線は導電片の配置位置）、この導電片６を介して第１の導体パターン５間を接続させる構成を取ることもできる。この場合、導電片６自体がタグより取り外されると、抵抗器７が離脱して電圧値が変化ため、制御手段によるタグの状態の変化を容易に検出することができるとともに、製品としての信頼性をよりいっそう高めることができる。
【００２８】
タグ１の製造方法としては、例えば、絶縁フィルム８の一方の面に粘着層１１を形成し、他方の面に第１の導体パターン４及び第２の導体パターン５を印刷により形成した後、導電片６を第１の導体パターン４に配置する。そしてこの第１の導体パターン４、第２の導体パターン５及び導電片６を覆って被覆部材９を形成するという製造方法により、簡易に製造することができる。
【００２９】
このようなタグ１によれば、物品２０から取り外されてタグ１の状態の変化を検出した場合であっても、タグ１や各導体パターン４、５が破損することがほとんどなく、再利用が可能となり、コスト面からも環境面からも有効である。また、粘着層１１が劣化した場合、コネクタケース２からロック解除により劣化したタグ１を取り外し、容易に交換することができ、安定した検出精度を維持することができる。
【００３０】
第２の導電パターンは、導電片６の周囲に配置されているが、導電片６を挟んで対向して配置してもよく、導電片６の一部を囲うように配置してもよい。導電片６の周囲のほぼ全周を囲って配置するとどの方向からタグ１を剥がされても、確実に第２の導体パターン５に接触させることができ好ましい。また、導電片６に対して、より近傍に第２の導体パターン５を配置することで、検出が更に確実となる。つまり、導電片６を鍔形状となるように段部を形成し、この段部の下面に第２の導電パターンを配置するとより効果的に導電片６と第２の導体パターン５を接触させることができ好ましい。
【００３１】
【発明の効果】
以上説明したように、本発明の盗難防止装置では、タグ上の第１の導体パターンおよび第２の導体パターンは通常時には接触しておらず、タグを剥がす際に第１の導体パターンに配置された導電片に接触することで導通する構成であり、従って、タグの第１の導体パターンに電圧を印加し、この第１の導体パターンの電圧を制御手段で検知し、第２の導体パターンと導通することにより、電圧が変化し、この変化を監視している。従って、タグが取り外される際には、第２の導電パターンは導電片に接触するのみでタグの状態の変化を容易に検知することができ、またタグ上の導電パターンが欠落や破損することがなく、再利用可能となり、コスト面から、環境面から有効である。
【図面の簡単な説明】
【図１】本発明の実施の形態に係る盗難防止装置の概要を示す回路図である。
【図２】タグの構造を示す断面図である。
【図３】導電片の構造を示す斜視図である。
【図４】盗難防止装置の動作を示す回路図であって、（Ａ）は正常時を示す回路図、（Ｂ）は破断（断線）時の動作を示す回路図、（Ｃ）は接続時の動作を示す回路図である。
【図５】本発明の実施の形態に係るタグの導電片と第２の導体パターンとの接触を示す断面図である。
【図６】本発明の実施の形態に係るタグにおける第１の導体パターンおよび導電片の配置を示す図である。
【符号の説明】
１　　タグ
２　　コネクタケース
３　　装置本体
４　　第１の導体パターン
５　　第２の導体パターン
６　　導電片
７　　抵抗器
８　　絶縁フィルム（絶縁基材）
９　　被覆部材
１０　鍔形状
１１　粘着層
１２　装着部
１３　ワイヤー
１４　ホーンプラグ
１５　電源装置
１６　抵抗器
１７　制御装置
１８　警報器
１９　記憶手段
２０　物品
【図１】
2004118660.tif 000003
【図２】
2004118660.tif 000004
【図３】
2004118660.tif 000005
【図４】
2004118660.tif 000006
【図５】
2004118660.tif 000007
【図６】
2004118660.tif 000008